(57)【要約】【課題】茎の斜め誘引の作業が容易で、斜め誘引による偏荷重によっても破断しにくい植物誘引用の結束具を提供する。【解決手段】結束具１は、弾性合成樹脂で一体成形され、支柱把持部２と、それの長手方向の両側の概略半円弧状の第１及び第２の抱持片３，４と、それの長手方向の端部に連続する第１及び第２の係合部５，６とを具備する。支柱把持部２は、折り曲げ部２１と、その両側の第１及び第２の把持片２２，２３とを具備する。把持片２２は、把持状態において、支柱Ｐの軸線に直交する方向に支柱Ｐの外周を取り巻く。第２の把持片２３は、傾斜把持部２３ａと、直交把持部２３ｂとを具備する。把持片２２，２３と第１、第２の抱持片３，４との間に、それぞれ第１、第２の当接板部７，８を具備する。把持状態において、当接板部７，８は、支柱Ｐの外周に圧接され、抱持片４，５は、上下にずれて互いに接合する。【選択図】図２
2015002700.tif 000002
【特許請求の範囲】
【請求項１】
ほぼ垂直に固定された支柱に植物の茎を引き止めて誘引するための弾性合成樹脂製の結束具であって、
湾曲して支柱の外周を包囲する把持状態と伸展して支柱を解放する解放状態とに変形可能な支柱把持部と、この支柱把持部の長手方向の両側に連続し支柱把持部が把持状態にあるときに互いに向き合って環状に接合することにより茎を包囲する概略半円弧状の第１及び第２の抱持片と、この第１及び第２の抱持片の長手方向の端部に連続し当該抱持片が接合状態にあるとき互いにスナップ係合する第１及び第２の係合部とを具備し、
前記支柱把持部は、長手方向中央にあって支柱の軸線方向に延びる肉薄の折り曲げ部により接続される第１及び第２の把持片を具備し、
前記第１の把持片は、把持状態において、支柱の軸線に直交する方向に支柱の外周を取り巻くように延び、
前記第２の把持片は、把持状態において、前記折り曲げ部から支柱の軸線に対して斜め方向に延びて支柱の外周を取り巻く傾斜把持部と、これに連続して支柱の軸線に直交する方向に支柱の外周を取り巻く直交把持部とを具備し、
前記第１の把持片と前記第１の抱持片との間には、把持状態において、支柱の外周に圧接されるように湾曲して支柱の軸線方向へ延びる第１の当接板部をさらに具備し、
前記第２の把持片の前記直交把持部と前記第２の抱持片との間には、把持状態において、支柱の外周に圧接されるように湾曲して前記第１の当接板部とは反対に支柱の軸線方向へ延びる第２の当接板部をさらに具備し、
前記第１の抱持片は前記第１の把持片の端部に連続し、前記第２の抱持片は前記第２の把持片の直交部の端部に連続し、それによって、第１の抱持片と第２の抱持片とは、把持状態において、支柱の軸線方向に上下にずれて互いに接合するように構成されることを特徴とする植物誘引用結束具。
【発明の詳細な説明】
【技術分野】
【０００１】
本発明は、トマトなどの園芸植物の茎をほぼ垂直に固定された支柱に引き止めて所望の方向に誘引するための結束具に関する。
【背景技術】
【０００２】
従来、園芸植物の茎をほぼ垂直に固定された支柱に引き止めて所望の方向に誘引するための結束具として、特許文献1に記載された保持クリップが知られている。この保持クリップは、長手方向の中央部に折り曲げ部が形成された支柱挟み部と、この支柱挟み部の両側に連設されたそれぞれ半円状の茎挟み固定部と、支柱挟み部と茎挟み固定部の連設部に設けられ、支柱挟み部が折り曲げ部から円形に曲げられたときに互いに重なり合って支柱を挟み付ける爪部と、茎挟み固定部の先端に連設されて互いに折り曲げられたときに折り曲げ状態をロックするロック爪とロック穴からなるロック部とを備えたものである。
【先行技術文献】
【特許文献】
【０００３】
【特許文献１】特開２００１−３７３４６号公報
【発明の概要】
【発明が解決しようとする課題】
【０００４】
特許文献１に記載の保持クリップは、例えばトマトなどの茎を支柱に結束して斜め上方向に誘引しようとする場合、茎挟み固定部の上縁が同じ高さ位置にあるため、茎を横方向に曲げにくく、また横方向に誘引された茎が成長に伴って重くなると、支柱挟み部にねじれ方向の荷重がかかり、これに茎の揺れによる繰り返し荷重が加わると、肉薄の折り曲げ部が破断に至り易いという課題がある。
したがって、本発明は、茎の斜め誘引の作業がやりやすく、斜め誘引による偏荷重によっても破断しにくい植物誘引用の結束具を提供することを目的としている。
【課題を解決するための手段】
【０００５】
以下、添付図面の符号を参照して説明するが、本発明はこれに限定されるものではない。
上記課題を解決するための、本発明の結束具１は、ほぼ垂直に固定された支柱Ｐに植物の茎Ｓを引き止めて誘引するための弾性合成樹脂製の結束具であって、湾曲して支柱Ｐの外周を包囲する把持状態と伸展して支柱Ｐを解放する解放状態とに変形可能な支柱把持部２と、この支柱把持部２の長手方向の両側に連続し支柱把持部２が把持状態にあるときに互いに向き合って環状に接合することにより茎Ｓを包囲する概略半円弧状の第１及び第２の抱持片３，４と、この第１及び第２の抱持片３，４の長手方向の端部に連続し当該抱持片３，４が接合状態にあるとき互いにスナップ係合する第１及び第２の係合部５，６とを具備する。支柱把持部２は、長手方向中央の肉薄の折り曲げ部２１によって接続される第１及び第２の把持片２２，２３を具備する。第１の把持片２２は、把持状態において、支柱Ｐの軸線に直交する方向に支柱Ｐの外周を取り巻くように延びる。第２の把持片２３は、把持状態において、折り曲げ部２１から支柱Ｐの軸線に対して斜め方向に延びて支柱Ｐの外周を取り巻く傾斜把持部２３ａと、これに連続して支柱Ｐの軸線に直交する方向に支柱Ｐの外周を取り巻く直交把持部２３ｂとを具備する。第１の把持片２２と第１の抱持片３との間には、把持状態において、支柱Ｐの外周に圧接されるように、湾曲して支柱Ｐの軸線方向へ延びる第１の当接板部７を具備する。第２の把持片２３の直交把持部２３ｂと第２の抱持片４との間には、把持状態において、支柱Ｐの外周に圧接されるように、湾曲して第１の当接板部７とは反対に支柱Ｐの軸線方向へ延びる第２の当接板部８を具備する。第１の抱持片３は第１の把持片２２の端部に連続し、第２の抱持片４は第２の把持片２３の直交部２３ｂの端部に連続する。それによって、第１の抱持片３と第２の抱持片４とは、把持状態において、支柱Ｐの軸線方向に上下にずれて互いに接合する。
【発明の効果】
【０００６】
本発明の結束具１においては、支柱Ｐを把持した状態において、第１の把持片２２の上縁の位置と、第２の把持片２３の直交把持部２３ｂの上縁の位置とが、上下にずれることになるので、上縁の位置が低い側へ植物の茎Ｓを曲げるように誘引させやすい。茎Ｓの荷重が大きくなっても、上下斜めの位置に離れて支柱Ｐに圧接される第１、第２の当接板部７，８が、把持片２のねじれを抑制し、斜め誘引による偏荷重によっても折り曲げ部２１が破断しにくくなる。
【図面の簡単な説明】
【０００７】
【図１】本発明に係る結束具の支柱把持部を伸展させた状態の平面図である。
【図２】図１の結束具の正面図である。
【図３】図１の結束具の背面図である。
【図４】図２におけるＩＶ−ＩＶ断面図である。
【図５】支柱を把持した状態の図１の結束具の平面図である。
【図６】支柱を把持した状態の図１の結束具の正面図である。
【発明を実施するための形態】
【０００８】
図面を参照して本発明の実施の形態を説明する。
結束具１は、ほぼ垂直に固定されたほぼ円柱状の支柱Ｐに装着され、植物の茎Ｓを引き止めて所望の方向へ誘引するためのものであって、弾性合成樹脂で一体成形される。結束具１は、支柱把持部２と、概略半円弧状の第１及び第２の抱持片３，４と、第１及び第２の係合部５，６とを具備する。
【０００９】
支柱把持部２は、湾曲、伸展自在の概略帯状に構成され、図５に示すように、支柱Ｐの外周を包囲する把持状態と、図１ないし図４に示すように、伸展して支柱を解放する解放状態とに比較的柔軟に変形可能である。支柱把持部２は、長手方向中央の折り曲げ部２１と、それの両側に連続する第１及び第２の把持片２２，２３を具備する。
【００１０】
折り曲げ部２１は、肉薄で、幅方向（支柱Ｐを把持した状態で、それの軸線方向）に直線状に延びる。
【００１１】
第１の把持片２２は、把持状態において、支柱Ｐの軸線に直交する方向に支柱Ｐの外周を取り巻く。第１の把持片２２と第１の抱持片３との間には、第１の当接板部７が形成される。当接板部７は、把持状態において支柱Ｐの外周の湾曲に沿ってこれに圧接されるように湾曲した板状で、支柱Ｐの軸線方向（図２において下方）へ延びる。
【００１２】
第２の把持片２３は、把持状態において、折り曲げ部２１から支柱Ｐの軸線に対して斜め方向（図２において斜め上方）に延びて支柱Ｐの外周を取り巻く傾斜把持部２３ａと、これに連続して支柱Ｐの軸線に直交する方向に支柱Ｐの外周を取り巻く直交把持部２３ｂとを具備する。第２の把持片の直交把持部２３ｂと第２の抱持片４との間には、第２の当接板部８が形成される。第２の当接板部８は、把持状態において支柱Ｐの外周の湾曲に沿ってこれに圧接されるように湾曲した板状で、支柱Ｐの外周に圧接されるように、第１の当接板部７とは反対（図２において上方）に支柱Ｐの軸線方向へ延びる。
【００１３】
第１及び第２の抱持片３，４は、支柱把持部２の長手方向の両側に連続して形成される。第１及び第２の抱持片３，４は、それぞれ概略半円弧状に形成され、支柱把持部２が把持状態にあるとき、互いに向き合って環状に接合することにより茎Ｓを包囲する。
【００１４】
第１及び第２の係合部５，６は、それぞれ第１及び第２の抱持片３，４の長手方向の端部に連続し、当該抱持片３，４が接合状態にあるとき互いにスナップ係合するように構成される。
【００１５】
第１の抱持片３は、第１の把持片２２の端部に連続し、第２の抱持片４は、把持状態において第１の把持片２２より上位にある第２の把持片の直交部２３ｂの端部に連続するので、第１の抱持片３と第２の抱持片４とは、把持状態において、支柱Ｐの軸線方向に上下にずれて互いに接合する。
【００１６】
本実施例の結束具１を用いたトマト等の植物の栽培の例を図６に示す。図６において、茎Ｓを支柱Ｐに引き寄せ、把持部２を支柱Ｐに回し、茎Ｓを抱持片３，４内に受け入れるように突き合わせると、把持部２が柔軟に支柱Ｐの外周に沿って湾曲し、当接板部７，８が支柱Ｐの外周に当接することにより、その当接部を支点として、把持部２を両側へ引いて緊張させる。これにより、把持部２が支柱Ｐの外周に馴染んで支柱Ｐを強固に把持する。同時に、抱持片３，４が茎Ｓを包囲すると共に、係合部５，６が互いにスナップ係合して、茎Ｓが支柱Ｐに引き止められる。茎Ｓは、相対的に下位に位置する第１の抱持片３側へ傾けられ、結束具１から左上方へ伸びるように誘引される。第１の抱持片３が、第２の抱持片４より下位にあるため、茎Ｓを自然に左側へ傾けて誘引することができる。茎Ｓが太く伸びたり、その先に果実が実ったりすると、抱持片３，４に、これを捻る方向（矢印方向）の荷重がかかることになる。この荷重は、当接板部７，８により支持され、支柱把持部２には過大な負荷がかからないから、長期使用によっても破断に至るおそれがない。
【符号の説明】
【００１７】
１    結束具
２    支柱把持部
２１  折り曲げ部
２２  第１の把持片
２３  第２の把持片
２３ａ  傾斜把持部
２３ｂ  直交把持部
３    第１の抱持片
４    第２の抱持片
５    第１の係合部
６    第２の係合部
７    第１の当接板部
８    第２の当接板部
Ｐ    支柱
Ｓ    植物の茎
【図１】
2015002700.tif 000003
【図２】
2015002700.tif 000004
【図３】
2015002700.tif 000005
【図４】
2015002700.tif 000006
【図５】
2015002700.tif 000007
【図６】
2015002700.tif 000008